(57)【要約】      （修正有）【課題】蔓植物などの茎を、これを添わせた枠体の棒状箇所や線状箇所に簡易かつ安価に結束して固定化させることができるほか、茎に過度な緊張力を付与することのない蔓植物などの誘引結束具を提供する。【解決手段】植物の茎を誘引固定部の棒状箇所などに係止させるためのものであって、ポリウレタン樹脂などの樹脂材料で形成され、最大直径が２ｍｍ〜３ｍｍの範囲内とされた線状体６ａを素線とし、内径が８ｍｍ〜１５ｍｍの範囲内とされ、長さが数十ｃｍとされた密巻状のコイル体からなり、前記線状体６ａの一端の２つ〜５つの巻数からなる端部分が手指力で弾性変形されて、前記茎と前記枠体の棒状箇所又は線状箇所との双方に外嵌された状態とし、この後、該端部分を前記線状体６ａ部分から切り離して使用できるように構成する。【選択図】図２
0003150437.tif 000002
【実用新案登録請求の範囲】
【請求項１】
イタビなどの植物の茎を誘引固定部の棒状箇所又は線状箇所に係止させるためのものであって、ポリウレタン樹脂又はこれに近似した軟らかさ及び弾性を有する樹脂材料で形成され、最大直径が２ｍｍ〜３ｍｍの範囲内とされた線状体を素線とし、内径が８ｍｍ〜１５ｍｍの範囲内とされ、長さが数十ｃｍとされた密巻状のコイル体からなり、前記線状体の一端の２つ〜５つの巻数からなる端部分が手指力で弾性変形されて、前記茎と前記枠体の棒状箇所又は線状箇所との双方に外嵌された状態とされ、この後、該端部分が未使用の前記線状体部分から切り離される処理が繰り返されるものであること特徴とする蔓植物などの誘引結束具。
【請求項２】
前記線状体の各自由端部がこれよりも中央寄りの前記線状体長さ途中に熱接着されることにより前記線状体の各端部に環状部が形成されるものであることを特徴とする請求項１記載の蔓植物などの誘引結束具。
【請求項３】
前記コイル体が２つ〜５つの範囲内の任意な一定数の巻数ごとに切り目が形成されていることを特徴とする請求項１記載の蔓植物などの誘引結束具。
【請求項４】
イタビなどの植物の茎を誘引固定部の棒状箇所又は線状箇所に係止させるためのものであって、ポリウレタン樹脂又はこれに近似した軟らかさ及び弾性を有する樹脂材料で形成され、最大直径が２ｍｍ〜３ｍｍの範囲内とされた線状体を素線とし、内径が８ｍｍ〜１５ｍｍの範囲内とされ、巻数が２つ〜５つの範囲内とされた密巻状のコイル体からなり、前記線状体が手指力で弾性変形されて前記茎と前記棒状箇所又は線状箇所との双方に外嵌された状態に装着されるものであることを特徴とする蔓植物などの誘引結束具。
【請求項５】
前記線状体が、比較的熱を吸収し難い色、即ち黒以外の色で着色され且つ、太陽光を透過する性質を有していることを特徴とする請求項１、２、３又は４記載の蔓植物などの誘引結束具。
【考案の詳細な説明】
【技術分野】
【０００１】  本考案は、植物などの茎を誘引用固定部の線状箇所や棒状箇所に係止して誘引するための誘引結束具で、特に壁面緑化における蔓植物の茎の誘引に適するものである。
【背景技術】
【０００２】  従来より、建物の外壁面に沿わせて枠体を形成し、この枠体に蔓植物を繁茂させることにより、建物に蔓植物による柔らかい景観を醸し出したり、壁面の老化を遅らせたり、建物内の空調などの省エネルギー化を図ったり、さらには都市のヒートアイランド現象や大気汚染の緩和を図ることのできる壁面緑化の技術がある（特許文献１参照）。【０００３】  この壁面緑化においては、壁面に沿った枠体部分に、蔓植物の枝葉を斑なく繁茂させることが重要であり、このためには、茎を枠体の希望する任意な位置に係止させ得ることが必要となる。この係止にさいして、従来では、枠体の棒状箇所や線状箇所に茎を添わせておいて、それら棒状箇所と茎とを適宜な結束手段で結束し固定するようにしている。【０００４】  この結束手段としては、特許文献２に開示されているような、粘着テープの使用される結束具とか、特許文献３に開示されているような結束バンドなどが存在している。【０００５】  しかし、特許文献２に開示された結束具では結束処理に手間がかかるのであり、また特許文献３に開示された結束バンドでは、茎の成長に伴ってバンドの緊張力が過度に大きくなって植物を傷める虞がある。
【先行技術文献】
【特許文献】
【０００６】
【特許文献１】特開平９−１４４１２９号公報
【特許文献２】実開平７−３９３８２号公報
【特許文献３】実開平６−３４４４２号公報
【考案の概要】
【考案が解決しようとする課題】
【０００７】  本考案は、蔓植物などの茎とこれを添わせた上記誘引固定部の棒状箇所や線状箇所に簡易かつ安価に固定化させることができるうえ、茎に過度な緊張力を付与することのない蔓植物などの誘引結束具を提供することを目的とする。
【課題を解決するための手段】
【０００８】  上記目的を達成するため、本考案に係る第１の蔓植物などの誘引結束具は、イタビなどの植物の茎を誘引固定部の線状箇所又は棒状箇所に係止させるためのものであって、ポリウレタン樹脂又はこれに近似した軟らかさ及び弾性を有する樹脂材料で形成され、最大直径が２ｍｍ〜３ｍｍの範囲内とされた線状体を素線とされ、内径が８ｍｍ〜１５ｍｍの範囲内とされ、長さが数十ｃｍとされた密巻状のコイル体からなり、前記線状体の一端の２つ〜５つの巻数からなる端部分が手指力で弾性変形されて、前記茎と前記枠体の棒状箇所又は線状箇所との双方に外嵌された状態とされ、この後、該端部分が未使用の前記線状体部分から切り離される処理が繰り返されるものであること特徴としている。【０００９】  本考案に係る第２の蔓植物などの誘引結束具は、イタビなどの植物の茎を誘引固定部の棒状箇所又は線状箇所に係止させるためのものであって、ポリウレタン樹脂又はこれに近似した軟らかさ及び弾性を有する樹脂材料で形成され、最大直径が２ｍｍ〜３ｍｍの範囲内とされた線状体を素線とし、内径が８ｍｍ〜１５ｍｍの範囲内とされ、巻数が２つ〜５つの範囲内とされた密巻状のコイル体からなり、前記線状体が手指力で弾性変形されて前記茎と前記棒状箇所又は線状箇所との双方に外嵌された状態に装着されるものであることを特徴としている。
【考案の効果】
【００１０】  本考案によれば、次のような効果が得られる。
即ち、２つ〜５つの巻数からなる線状体が、自身の弾性による形状保持力で植物などの茎と誘引固定部の線状箇所や棒状箇所との双方に外嵌された状態を保持するものとなる。またコイル体はポリウレタン樹脂などの樹脂材料からなる線状体を素線としたものであるため安価に製造することができる。したがって、イタビなどの植物の茎を誘引固定部の棒状箇所や線状箇所に簡易且つ安価に固定化させることができる。【００１１】  また線状体が植物の茎を誘引固定部の線状箇所や棒状箇所に外嵌状に係止した状態の下で、茎が成長しても、線状体はゴム程度の軟らかさを有し比較的弾性変形しやすいため、線状体が茎に過度な緊張力を付与するものとならない。この結果、茎が線状体の緊張力で損傷を受ける事態は確実に防止される。
【図面の簡単な説明】
【００１２】
【図１】建物に壁面緑化を施した状態を示しＡは側面図でＢは壁面緑化部の正面図である。
【図２】壁面緑化部の詳細を示す拡大斜視図である。
【図３】本考案に係る蔓植物などの誘引結束具を示す正面図である。
【図４】上記誘引結束具であるコイル体の変形例を示しＡは正面図でＢは側面図である。
【図５】上記コイル体の他の変形例を示す正面図である。
【図６】図５に示すコイル体の使用例を示す斜視図である。
【考案を実施するための形態】
【００１３】  以下、本考案の実施の形態を図面に基づいて詳細に説明する。
先ず本考案に係る蔓植物などの誘引結束具を使用される対象について説明する。
図１は建物に壁面緑化を施した状態を示しＡは側面図でＢは壁面緑化部の正面図であり、図２は壁面緑化部の詳細を示す拡大図である。
建物１の外壁面１ａに沿って壁面緑化用の誘引固定部をなす枠体２が形成されており、該枠体２は直径が１０ｍｍ〜２０ｍｍとされた縦横配置の棒状箇所２ａ、２ｂを備えているほか、必要に応じて針金などによる線状箇所２ｃが形成される。該枠体２は地面に起立された支柱部材２ｄに支持されて起立状に保持されており、枠体２と建物１の外壁面１ａとは水平支持部材２ｅで結合されている。
【００１４】  枠体２には一般に蔓植物３を伝わせてその枝葉を繁茂させる。蔓植物３は茎３ａ、枝、葉、ひげなどを枠体２に絡ませつつ枠体２の全面に成長していく。蔓植物３には例えばイタビ、オオイタビ、ヘデラフェリックス、ハイビシャクシンなどがある。
【００１５】  図２中、４は水平支持部材２ｅの一端を固定させるために壁面１ａに固定された木製部材であり、４ａは木製部材４間に固定された筋交い部材であり、５は外壁面１ａに形成された窓である。
【００１６】  次に本考案に係る蔓植物３などの誘引結束具について説明する。
図３は本考案に係る誘引結束具を示す正面図である。
本考案の蔓植物３などの誘引結束具は、ポリウレタン樹脂又はこれに近似した軟らかさ及び弾性を有する樹脂材料で形成され、最大直径ｄ１が２ｍｍ〜３ｍｍの範囲内とされた線状体６ａを素線とされ、内径ｄ２が８ｍｍ〜１５ｍｍの範囲内とされ、長さＬ１が数十ｃｍ（好ましくは３０ｃｍ程度）とされた密巻状のコイル体６からなっている。
【００１７】  ここで、線状体６ａの最大直径ｄ１が２ｍｍ〜３ｍｍの範囲内とされたのは、線状体６ａがこれを外嵌される蔓植物３の茎３ａの成長に伴って茎３ａから付与される力で押し退けられるように弾性変形されることを可能とし、またコイル状の線状体６ａが手指力で殆ど直状に弾性変形されることを可能とするためである。なお、線状体６ａの断面形状は円形を基本とするが、これに限定するものではない。
【００１８】  またコイル体６の内径ｄ２が８ｍｍ〜１５ｍｍの範囲内とされたのは、次のような理由による。即ち、蔓植物３を、数メートル四方或いはそれ以上に及ぶような広い面積を有する枠体２の任意な一定範囲に繁茂させたいとき、先側の新しい茎３ａを前記枠体２の一定範囲内に存在している棒状箇所２ａ、２ｂ又は線状箇所２ｃに係止させるようにするが、この場合、新しい茎３ａの直径は多くの場合、１０ｍｍに満たない大きさであり、一方、棒状箇所２ａ、２ｂや線状箇所２ｃの直径も一般に数ｍｍ〜十数ｍｍとされており、これら茎３ａと棒状箇所２ａ、２ｂ又は線状箇所２ｃとの外周囲に線状体６ａを巻き付けるように外嵌させて茎３ａを棒状箇所２ａ、２ｂ又は線状箇所２ｃに係止させる上で適当な大きさであるからである。
【００１９】  またコイル体６がポリウレタン樹脂又はこれに近似した軟らかさ（ゴム程度のもの）及び弾性を有する樹脂材料で形成されることとしたのは、蔓植物３の茎３ａと枠体２の棒状箇所２ａ、２ｂ又は線状箇所２ｃとの外周囲に線状体６ａを巻き付けるように外嵌させた状態の下で、茎３ａと線状体６ａとが強く接触するようになったときでも、線状体６ａが茎３ａを損傷させるのを阻止するためである。
【００２０】  またコイル体６を蔓植物３に対して使用する場合、実際には、２種類のものが用意されるのであり、一方のコイル体６は、最大直径ｄ１が２ｍｍで内径ｄ２が８ｍｍとされ、他方のコイル体６は最大直径ｄ１が２．５ｍｍで内径ｄ２が１２ｍｍとされる。このさい、前者は比較的細い茎３ａや枝に対し使用され、後者は比較的太い茎３ａや枝に対し使用される。
【００２１】  また線状体６ａは、比較的熱を吸収し難い色、即ち黒以外の色（例えばポリウレタンの自然色など）とされ且つ、太陽光を透過させ得るように半透明とされる。
【００２２】  次に上記した蔓植物３などの誘引結束具の使用例を説明する。
蔓植物３が成長すると、無数の新しい茎３ａが不規則に伸びようとする。これを放置していると、枠体２の全範囲に蔓植物３の枝葉を効率的に繁茂させることができない。これに対処するには、枝葉を繁茂させるべき範囲の棒状箇所２ａ、２ｂや線状箇所２ｃに蔓植物３の新しい茎３ａを誘引することが必要となるのであり、この必要に応じるために、本考案の蔓植物３などの誘引結束具を使用するのである。
【００２３】  該誘引結束具を使用するときは、例えば、各作業者は長さが数十ｃｍのコイル体６の多数を袋に入れるなどして携行し、枠体２などを足場にするなどして、茎３ａを誘引処理すべき棒状箇所２ａ、２ｂ又は線状箇所２ｃの近傍に到達する。そして、蔓植物３の枝葉を繁茂させるべき範囲の棒状箇所２ａ、２ｂや線状箇所２ｃに新しい茎３ａを手作業で引き寄せて添わせた状態とし、一方の手で、この沿わせた状態を維持させると共にコイル体６を把持しておき、他方の手で、コイル体６の端部分６ｂである２つ〜５つの範囲内の巻数を含む線状体１ａ箇所を弾性変形させて、図３に示すように棒状箇所２ａ、２ｂ又は線状箇所２ｃと、これに添わせた新しい茎３ａとの双方の外周囲に巻き付け、その後、線状体６ａの長さ途中をハサミ又はカッターで切断し、該端部分６ａを未使用の線状体６ａから分離させるように処理する。ここで、コイル体６の長さＬ１は３０ｃｍ程度であるのが好ましい理由は、コイル体６について、製造が容易であり、使い勝手がよいことのほか、自由状態で複雑な形状（癖のある曲がり形状）にならない最大長さであるからである。
【００２４】  このさい、コイル体６の未使用部分から分離されて使用状態となった２つ〜５つの範囲内の巻数を含む線状体６ａ（端部分６ｂの独立したもの）は自身の弾性による形状保持力により、元形状に復帰しようとするため、格別な処理をしなくても、図２に示すように棒状箇所２ａ、２ｂ又は線状箇所２ｃと、これに添わせた新しい茎３ａとの外周囲に適当な結束力で巻き付いて結束する。なお、この結束状態において、棒状箇所２ａ、２ｂ又は線状箇所２ｃと、これに添わせた新しい茎３ａとは、これらの間に幾分の遊隙が存在した状態となってもよいし、或いは密接された状態となってもよいのであり、重要なことは、新しい茎３ａが線状体６ａにより棒状箇所又２ａ、２ｂ又は線状箇所２ｃに係止されて位置保持されることである。
【００２５】  こうして線状体６ａによる茎３ａの１箇所の位置保持（誘引結束処理）が終了するが、以後、他の茎３ａの誘引結束箇所ごとに同様の処理を繰り返す。このような処理を繰り返すと、１本のコイル体６は各誘引結束処理が行われるごとに２つ〜５つの巻数を含む線状体６ａ部分である端部分６ｂが消費されていき、最後は、２つ〜５つの巻数を含む線状体６ａ部分が残ることになるが、この線状体６ａは切断されることなく茎３ａの１箇所の誘引結束処理に使用される。以後、各コイル体６について同様な使用が必要に応じ繰り返されることになる。
【００２６】  コイル体６の使用は、高所にて行われることが多いため、予め巻数が２つ〜５つの範囲内とされた密巻状のコイル体６を多数用意する場合に較べ、作業者は誘引結束処理作業を能率的に行えるのである。コイル体６は多くの場合に上記したように新しい茎３ａの位置決めに使用されるものであるが、必要であれば既に成長した茎３ａを位置保持するために同様に使用することも差し支えない。
【００２７】  線状体６ａが茎３ａと棒状箇所２ａ、２ｂ又は線状箇所２ｃとの外周囲に外嵌された状態において、線状体６ａに位置保持された茎３ａが台風などの強風を受けても、線状体６ａは自身の形状保持作用により茎３ａなどから脱落することなく茎３ａを棒状箇所２ａ、２ｂ又は線状箇所２ｃに係止させて位置保持する。
【００２８】  また線状体６ａが茎３ａを誘引結束している状態において、茎３ａが成長してその太さや長さが増大してくると、外周囲に外嵌されたコイル状の線状体６ａを内側から外側へ押し拡げたり茎３ａの成長方向へ引っ張るようになるが、このさいの押し拡げ力や引き力により、線状体６ａは茎３ａの外周面に倣うように弾性変形され又は拡径されるものとなり、また茎３ａの長手方向へ向け棒状箇所２ａ、２ｂ又は線状箇所２ｃに案内されつつ移動されるようになる。このような線状体６ａの変形や移動が生じること、及び、線状体６ａがゴム程度の軟らかさを有していることから、線状体６ａで結束された茎３ａが成長して太くなったり長くなっても、線状体６ａは茎３ａを過度に拘束することは生じず、茎３ａは線状体６ａによる損傷を受けることなく成長する。
【００２９】  線状体６ａで結束された茎３ａが成長する過程で、その枝葉が期待に反して斑状に繁茂することも生じ得るが、このような場合は、枝葉の繁茂形態を変更することが必要となる。この場合は、枝葉や茎３ａを押し引きすることで茎３ａを位置保持した線状体６ａが棒状箇所２ａ、２ｂ又は線状箇所２ｃに支持されたままこれに案内されて滑り移動するようになり、茎３ａや枝葉はその位置を容易且つ迅速に変更され、これらの繁茂形態は均一化される。このさいも線状体６ａがゴム程度の軟らかさであることはそれが結束した茎３ａの損傷を防止する上で寄与する。
【００３０】  茎３ａを結束した線状体６ａは長期に亘って太陽光や風雨にさらされることになるが、樹脂材料で形成されているため、腐食することなく耐久性に優れるのであり、また樹脂材料が熱を吸収し難い色とされているため太陽光による温度上昇が抑制され、茎３ａは熱損を受け難くなるのであり、また樹脂材料が太陽光を透過させるため茎３ａ、枝及び葉などの光合成作用が阻害され難くなる。
【００３１】  また、蔓植物３の一部又は全部を枠体２から除去するときや枠体２上の蔓植物３の繁茂状況を変更するときなどにおいて、枠体２と蔓植物３との線状体６ａによる結束を解除する必要が生じるが、この場合にも、結束状態の線状体６ａは手指力で弾性変形させることができるため、枠体２の棒状箇所２ａ、２ｂ又は線状箇所２ｃから手指力のみによって迅速に分離されるものとなり、線状体６ａによる結束は簡便に解除される。したがって壁面緑化の管理が容易に行えるのである。
【００３２】  次に上記実施形態の誘引結束具の変形例について説明する。
（１）図４は誘引結束具の変形例を示しＡは正面図でＢは側面図である。コイル体６は長さ方向の一定間隔ごとの線状体１ａ箇所に切れ目ａ１を設けられたものとすることも可能である。図示例では３つの巻数を含む線状体６ａ部分ごとにが切れ目ａ１が形成されている。このようにすれば、線状体６ａの端部分６ｂを未使用の線状体６ａ部分から切り離す処理が繰り返されるさいに、コイル体６Ａの一部である線状体６ａは、該端部分６ｂに手指から付与される引張力により切断具を使用しないでも切れ目ａ１箇所で切断されるようになるか、或いは、ハサミで切断されるときでもこれに比較的小さい操作力が付与されることで切れ目ａ１箇所を切断されるようになる。
【００３３】（２）上記実施例では長さが数十ｃｍのコイル体６を２つ〜５つの巻数を含む線状体６ａ部分ごとに切断して使用するものとしたが、これに代えて、コイル体６を短くして２つ〜５つの巻数を含む線状体６ａからなる形態としても差し支えない。これによればコイル体６は線状体６ａを切断されないまま、茎３ａと棒状箇所２ａ、２ｂ又は線状箇所２ｃとを結束するものとなる。このようにした方が使い勝手のよい場合もある。
【００３４】（３）図３に示したコイル体６はさらに次のように変形することができる。
図５は該変形例に係るコイル体６を示す正面図であり、図６は該変形例の使用例を示す斜視図である。該変形例に係るコイル体６は、作業現場などにおいて半田ごてなどの熱を使用するなどして、図５に示すように線状体６ａの各自由端部ｂ１、ｂ１をこれよりも中央寄りの線状体６ａ部分の長さ途中に熱接着することにより、線状体６ａの各端部に環状部ｃ１、ｃ１が形成されたものとされている。
【００３５】  このコイル体６は、例えば図６に示すように、蔓植物３がプランタ７内に植えられて長く伸びた茎３ａをプランタ７の前面７ａ側に垂れ下がり状態に伸長させるさいに使用される。使用にさいしては、プランタ７の前面７ａの両端部に設けられた一対の掛け止め具８ａ、８ｂにコイル体６の両端の環状部ｃ１、ｃ１を掛け止めて線状体６ａを引張状態とすることにより、線状体６ａがその弾圧力で複数の茎３ａをプランタ７の前面７ａ側へ押圧した状態とする。この状態で十分な月日が経った後に誘引結束具が除去されても、各茎３ａは垂れ下がり姿勢を維持するものとなる。
【００３６】  このように育成された蔓植物３のプランタ７は例えば図１に示すように建物１の２階以上の高さに置かれて使用される。このさい、垂れ下がった茎３ａはプランタ７よりも下の枠体２範囲に枝葉を繁茂させる上で寄与し、上方へ伸びた茎３ａはプランタ７よりも上の枠体２範囲に枝葉を繁茂させる上で寄与する。
【００３７】（４）上記実施形態の使用例では本考案の誘引結束具を壁面緑化に使用する場合について説明したが、これに限定するものではないのであり、壁面緑化とは無関係な任意な植物（トマト、キュウリなど）の茎などを、垂直状又は水平状などに形成した任意な形態の誘引手段に添わせるときに使用することも差し支えない。
【符号の説明】
【００３８】  ２  枠体（誘引固定部）
２ａ、２ｂ  棒状箇所
２ｃ  線状箇所
３  植物
３ａ  茎
６  コイル体
６ａ  線状体
６ｂ  端部分
Ｌ１  長さ
ａ１  切り目
ｂ１  自由端部
ｃ１  環状部
ｄ１  最大直径
ｄ２  内径
【図１】
0003150437.tif 000003
【図２】
0003150437.tif 000004
【図３】
0003150437.tif 000005
【図４】
0003150437.tif 000006
【図５】
0003150437.tif 000007
【図６】
0003150437.tif 000008